(57)【要約】【課題】スイッチ装置が受け持つ機能の操作内容を予め視覚的に提示して、スイッチ装置の機能を実行前に把握できるスイッチ装置を提供する。【解決手段】操作ボタン１０２の押圧動作によりスイッチ動作する第１スイッチ位置１０２ｂ、および、押下されてスイッチ動作する第２スイッチ位置１０２ｃを有し、第２スイッチ位置１０２ｃまで押下されたときに機能する操作内容をマーク、文字、または略号等により表示した表示部１００ａを操作ボタン１０２の表面（スイッチ表面）に備えた操作スイッチ１００と、操作スイッチ１００の第２スイッチ位置１０２ｃの押下動作による操作内容を視覚的に提示するディスプレイ部（コラム上ディスプレイ３００、センタークラスタディスプレイ１２等）と、第１スイッチ位置１０２ｂにおける押圧動作時に、操作内容の説明をディスプレイ部に表示制御する制御部（操作スイッチＥＣＵ２００）と、を有して概略構成する。【選択図】図１
2010277318.tif 000002
【特許請求の範囲】
【請求項１】
押圧動作によりスイッチ動作する第１スイッチ位置、および、押下されてスイッチ動作する第２スイッチ位置を有し、前記第２スイッチ位置まで押下されたときに機能する操作内容を表示した表示部をスイッチ表面に備えた操作スイッチと、
前記操作スイッチの前記第２スイッチ位置の押下動作による操作内容を視覚的に提示するディスプレイ部と、
前記第１スイッチ位置における押圧動作時に、前記操作内容の説明を前記ディスプレイ部に表示制御する制御部と、
を有することを特徴とするスイッチ装置。
【請求項２】
前記操作スイッチの前記スイッチ表面の前記表示部は、前記操作内容を示すマーク、文字、または略号が表示されていることを特徴とする請求項１に記載のスイッチ装置。
【請求項３】
前記ディスプレイ部は、複数配置されたディスプレイ部のうちの前記操作スイッチに近接するディスプレイ部であることを特徴とする請求項１に記載のスイッチ装置。
【発明の詳細な説明】
【技術分野】
【０００１】
本発明は、スイッチ装置に関する。
【背景技術】
【０００２】
車両に設けられ、操作ボタンを押下げすることにより種々の車載機器の制御を可能にするスイッチ装置がある。この種のスイッチ装置として、個々の操作ボタンに対して押下げにより実行可能な機能を割り付けることができるスイッチ装置がある（例えば、特許文献１参照）。
【０００３】
特許文献１のスイッチ装置では、スイッチ装置の押下ボタンの表面に図形が表示され、この押下ボタンを押下することにより予め割り付け設定された操作内容が例えばセンタークラスタディスプレイ上に表示されると共に、この割り付け設定された操作内容に従い車載機器の制御が行なわれる。
【０００４】
このスイッチ装置によれば、ドライバの好みに応じた機能をスイッチ装置に自由に割り付けることができ、スイッチ装置のボタンが押下されたときに、例えば機能図をディスプレイ部に表示するため、ドライバはこのスイッチ装置の機能を正確に把握できるとされている。
【先行技術文献】
【特許文献】
【０００５】
【特許文献１】特開平１０−３０８１３６号公報
【発明の概要】
【発明が解決しようとする課題】
【０００６】
しかし、特許文献１のスイッチ装置によると、スイッチ装置の機能確認と機能実行が同時である。すなわち、スイッチ装置のスイッチ表面の表示部に表示されたマーク、文字、または略号等がどういう操作内容であるかの機能確認を独立して行なうことができず、多数のスイッチ装置が配置されている場合には、予め機能確認をした後にその機能実行を行なうことができないという問題がある。
【０００７】
従って、本発明の目的は、スイッチ装置が受け持つ機能の操作内容を予め視覚的に提示して、スイッチ装置の機能を実行前に把握できるスイッチ装置を提供することにある。
【課題を解決するための手段】
【０００８】
［１］本発明は、前記目的を達成するため、押圧動作によりスイッチ動作する第１スイッチ位置、および、押下されてスイッチ動作する第２スイッチ位置を有し、前記第２スイッチ位置まで押下されたときに機能する操作内容を表示した表示部をスイッチ表面に備えた操作スイッチと、前記操作スイッチの前記第２スイッチ位置の押下動作による操作内容を視覚的に提示するディスプレイ部と、前記第１スイッチ位置における押圧動作時に、前記操作内容の説明を前記ディスプレイ部に表示制御する制御部と、を有することを特徴とするスイッチ装置を提供する。
【０００９】
［２］前記操作スイッチの前記スイッチ表面の前記表示部は、前記操作内容を示すマーク、文字、または略号が表示されていることを特徴とする上記［１］に記載のスイッチ装置であってもよい。
【００１０】
［３］また、前記ディスプレイ部は、複数配置されたディスプレイ部のうちの前記操作スイッチに近接するディスプレイ部であることを特徴とする上記［１］に記載のスイッチ装置であってもよい。
【発明の効果】
【００１１】
本発明によれば、スイッチ装置が受け持つ機能の操作内容を予め視覚的に提示して、スイッチ装置の機能を実行前に把握できるスイッチ装置を提供することができる。
【図面の簡単な説明】
【００１２】
【図１】図１は、第１の実施の形態に係る操作スイッチを有する車両内部の斜視図である。
【図２】図２は、図１におけるステアリング付近を拡大した拡大図である。
【図３】図３は、操作スイッチの第１スイッチ位置、および、第２スイッチ位置を示す図２におけるＡ−Ａ断面図である。
【図４】図４は、本発明の第１の実施の形態に係るスイッチ装置１の概略ブロック構成図である。
【図５】図５は、操作スイッチの押下動作時のコラム上ディスプレイ上の表示領域の表示例を示す部分平面図である。
【図６】図６は、第２の実施の形態に係る操作スイッチを有する車両内部の斜視図である。
【図７】図７は、操作スイッチの押下動作時のセンタークラスタディスプレイ上の表示領域の表示例を示す部分平面図である。
【発明を実施するための形態】
【００１３】
（本発明の第１の実施の形態）
（スイッチ装置１の構成）
本発明の第１の実施の形態に係るスイッチ装置１は、操作ボタン１０２の押圧動作によりスイッチ動作する第１スイッチ位置１０２ｂ、および、押下されてスイッチ動作する第２スイッチ位置１０２ｃを有し、第２スイッチ位置１０２ｃまで押下されたときに機能する操作内容をマーク、文字、または略号等により表示した表示部１００ａを操作ボタン１０２の表面（スイッチ表面）に備えた操作スイッチ１００と、操作スイッチ１００の第２スイッチ位置１０２ｃの押下動作による操作内容を視覚的に提示するディスプレイ部（コラム上ディスプレイ３００、センタークラスタディスプレイ１２等）と、第１スイッチ位置１０２ｂにおける押圧動作時に、操作内容の説明をディスプレイ部に表示制御する制御部（操作スイッチＥＣＵ２００）と、を有して概略構成されている。
【００１４】
操作スイッチ１００は、車両１０のステアリングコラム２０に回転可能に支持されたステアリング３０の一部に設けられ、運転者がステアリングホイール３１を把持した状態で指等により押圧または押下動作できる状態で設けられている。図１、２では、ステアリング３０の左右２箇所にそれぞれの操作スイッチ１００、１０１が設けられている。尚、操作スイッチの配置位置はステアリング３０の左右には限られない。尚、第１の実施の形態では、操作スイッチ１００には、機能としてＡＦＳ（Adaptive Front-Lighting System）が割り当てらているものとして以下説明を行なうが、機能としては車両１０および車両１０に搭載された車載機器の制御、操作を行なう種々の機能を割り当てることが可能である。
【００１５】
ＡＦＳは、自動車に装備され、走行中のコーナリング時においてステアリング操舵方向に光軸を向け、進行方向に光を照射し視認性向上を図ったヘッドライトの制御システムである。操作スイッチ１００の操作ボタン１０２の表面（スイッチ表面）には、略号「ＡＦＳ」が印刷、刻印等により表示されている。尚、スイッチ表面は、操作者が視覚的に認識できる領域であればよく、例えば、操作ボタン１０２の表面に透明なカバーが被さっている場合等も含まれる。
【００１６】
図３は、図２における操作スイッチ１００のＡ−Ａ断面図である。操作スイッチ１００は、押圧または押下動作可能な操作ボタン１０２と図示しない２つの接点構造とからなる。操作ボタン１０２が押されてない状態、すなわち、ＯＦＦ状態の位置１０２ａから押圧により押下動作がなされると第１スイッチ位置１０２ｂで１段目のスイッチ動作が行なわれ、さらに押下動作を行なうことにより第２スイッチ位置１０２ｃで２段目のスイッチ動作が行なわれる。１段目および２段目のスイッチ動作においてはクリック感（節度感）を有することが好ましい。尚、後述するように、１段目の第１スイッチ位置１０２ｂをタッチセンサとすることもでき、この場合は、操作スイッチ１００は押圧動作によりストロークなしで１段目のスイッチ動作を行なう。
【００１７】
図４は、スイッチ装置１の概略ブロック構成図である。上記した操作スイッチ１００は、スイッチ装置１の制御全般を行なう操作スイッチＥＣＵ(Electronic Control Unit)２００に接続されている。操作スイッチＥＣＵ２００には、操作スイッチ１００に割り付けられた実行可能な機能の内容を表示するコラム上ディスプレイ３００が接続されている。また、操作スイッチＥＣＵ２００には、操作スイッチ１００に機能が割り付けられたＡＦＳ装置４０１が通信ライン４００により接続されている。尚、操作スイッチ１００には種々の実行可能な機能を設定することができ、制御可能な車載機器、例えば、オートウインドウ装置４０２、フューエルリッド開閉装置４０３、カーナビゲーション４０４、エアコン装置４０５、オーディオ機器４０６、・・・・・等と接続することができる。尚、これの実行可能な機能を表すマーク、文字、または略号を操作スイッチ１００の操作ボタン１０２の表面（スイッチ表面）に表示しておく。
【００１８】
コラム上ディスプレイ３００は、図１、２に示すように、ステアリングコラム２０の一部に設けられた表示装置であり、液晶表示装置が表示領域３０１として運転者がステアリングホイール３１を把持した状態で容易に視認できる位置に配置されている。このコラム上ディスプレイ３００は、ステアリングコラム２０に設けられているので、インスツルメントパネル１１の中央付近に設けられるセンタークラスタディスプレイ１２等に比較して、操作スイッチ１００に最も近くに位置し、視線移動することなく容易に視認できる表示装置である。コラム上ディスプレイ３００には種々の表示が可能であるが、後述するように、ＡＦＳ装置４０１の操作内容の説明が表示される。
【００１９】
（スイッチ装置１の動作）
図３に示す操作スイッチ１００の断面図を参照して、以下にスイッチ装置１の動作説明を行なう。図３に示す操作ボタン１０２が押下動作されていないＯＦＦ状態の位置１０２ａから、操作ボタン１０２が１段下に押下動作されて図３（ｂ）の第１スイッチ位置１０２ｂに操作されると、機能確認、すなわち、操作内容の説明が表示される。本実施の形態では、操作スイッチ１００はＡＦＳ機能を有するので、操作ボタン１０２が１段下に押下動作されて第１スイッチ位置１０２ｂに操作されると、操作ボタン１０２の表面に表示された略号「ＡＦＳ」の説明が表示される。コラム上ディスプレイ３００の表示領域３０１に、「ヘッドライトのハンドル連動性をオン」と、操作内容が視覚的に提示される。表示動作は、操作ボタン１０２が第１スイッチ位置１０２ｂに押下操作されると、操作スイッチＥＣＵ２００が内部の記憶部またはＣＡＮ、ＬＩＮ通信を介して表示データまたは音声データを参照して行なわれる。
【００２０】
次に、さらに操作ボタン１０２が押下動作されて、第２スイッチ位置１０２ｃで２段目のスイッチ動作が行なわれる。このスイッチ動作時には、操作スイッチＥＣＵ２００からＣＡＮ、ＬＩＮ通信を介してＡＦＳ装置４０１に制御信号が出力され、ヘッドライトのＡＦＳ制御が行なわれる。
【００２１】
（本発明の第２の実施の形態）
本発明の第２の実施の形態に係るスイッチ装置１は、図６に示すように、操作スイッチ１００がインスツルメントパネル１１に設けられている。操作スイッチ１００の操作ボタン１０２の押下動作により、近接するセンタークラスタディスプレイ１２上に操作内容を視覚的に提示する。その他の構成は、第１の実施の形態と同様である。
【００２２】
（スイッチ装置１の動作）
操作スイッチ１００の操作ボタン１０２が１段下に押下動作されると、機能確認、すなわち、操作内容の説明が表示される。本実施の形態では、操作スイッチ１００はＡＦＳ機能を有するので、操作ボタン１０２が１段下に押下動作されて図３に示す第１スイッチ位置１０２ｂに操作されると、操作ボタン１０２の表面に表示された略号「ＡＦＳ」の説明が表示される。センタークラスタディスプレイ１２の表示領域１２ａに、図７に示すような操作内容が、説明文と図で視覚的に提示される。表示動作は、操作ボタン１０２が第１スイッチ位置１０２ｂに押下操作されることにより、操作スイッチＥＣＵ２００が内部の記憶部またはＣＡＮ、ＬＩＮ通信を介して表示データまたは音声データを参照して行なわれる。
【００２３】
尚、本発明は上記の実施の形態に限定されるものではなく、その要旨を逸脱しない範囲で種々の態様において実施することが可能である。上記示した第１及び第２の実施の形態では、操作スイッチ１００の操作内容の表示を操作スイッチ１００に近接するディスプレイ（コラム上ディスプレイ３００、センタークラスタディスプレイ１２）に行なったがこれに限られない。操作スイッチ１００に近接するディスプレイは、操作者またはドライバーからの視認性を考慮して設定することも可能である。例えば、第１の実施の形態でステアリング３０の一部に設けられた操作スイッチ１００の操作内容の表示をセンタークラスタディスプレイ１２またはメーターディスプレイ１３に行なうよう設定することもでき、また、第２の実施の形態でインスツルメントパネル１１上に設けられた操作スイッチ１００の操作内容の表示をコラム上ディスプレイ３００またはメーターディスプレイ１３に行なうよう設定することもできる。
【００２４】
また、操作スイッチ１００の第１スイッチ位置１０２ｂをタッチ検出方式とすることも可能である。静電式、圧電式、ＳＡＷ方式、抵抗膜方式等が使用できる。このようなタッチ検出方式とすると、１段目のスイッチ動作は、タッチ、すなわち、押圧動作により可能となり、ストロークなしでのスイッチ動作が可能となる。
【００２５】
（本発明の実施の形態の効果）
本発明の実施の形態によれば、次のような効果を有する。
（１）操作スイッチ１００の第１スイッチ位置１０２ｂまでの１段のスイッチ動作により、スイッチ表面のマーク、文字、または略号等の操作内容がディスプレイ部（コラム上ディスプレイ３００、センタークラスタディスプレイ１２等）に表示される。これにより、スイッチ装置が受け持つ機能の操作内容を予め視覚的に提示して、スイッチ装置の機能を実行前に把握できるスイッチ装置を提供することができる。
（２）車両には種々の機器が装備され、それに対応して多くのスイッチ装置が配置されている。そのスイッチ装置にはスイッチ表面にマーク、文字、または略号等が印刷されているが、そのスイッチ表面の表示からは操作内容が把握できないものが多い。このような場合でも、取り扱い説明書を見ずに簡易に操作内容を把握することができる。
（３）また、種々のスイッチ装置のなかで、その機能を忘れたものもあり、本発明の実施の形態によれば容易に操作内容を思い出すことができる。
（４）不意にスイッチに触れやすい箇所の操作スイッチ１００には、２段階のストロークを持つスイッチ構造とすることで不要な操作内容表示を防止できる。また、操作性を考慮して１段階のストロークを持つタッチ検出方式のスイッチ構造とすることも可能である。どちらの場合でも、操作スイッチ１００の操作内容を確認してから、さらに押下動作することで機能実行されるので、無用な機器操作が抑制できる。
【符号の説明】
【００２６】
１…スイッチ装置、１０…車両、１１…インスツルメントパネル、１２…センタークラスタディスプレイ、１２ａ…表示領域、１３…メーターディスプレイ、２０…ステアリングコラム、３０…ステアリング、３１…ステアリングホイール、１００、１０１…操作スイッチ、１０２…操作ボタン、１０２ａ…ＯＦＦ状態の位置、１０２ｂ…第１スイッチ位置、１０２ｃ…第２スイッチ位置、２００…操作スイッチＥＣＵ、３００…コラム上ディスプレイ、３０１…表示領域、４００…通信ライン、４０１…ＡＦＳ装置、４０２…オートウインドウ装置、４０３…フューエルリッド開閉装置、４０４…カーナビゲーション、４０５…エアコン装置、４０１…オーディオ機器
【図１】
2010277318.tif 000003
【図２】
2010277318.tif 000004
【図３】
2010277318.tif 000005
【図４】
2010277318.tif 000006
【図５】
2010277318.tif 000007
【図６】
2010277318.tif 000008
【図７】
2010277318.tif 000009